(57)【要約】【課題】所有者の嗜好に対応するデザインを付加可能な電子機器を提供することを目的とする。【解決手段】収容物２１はパッドの裏面９ｂ上に配置される第１の収容部１４の上壁１４ａに形成される第３の開口部１５に指を挿入し、第１の収容部１４の奥部方向に移動させることで収容部１４に収容される。デジタルカメラ本体１の第１の縁部４ａに第１のあご部２７が形成される。第１のあご部２７にパッド２の第１の端部１０ａが係合される。さらに、パッド２を第１のあご部２７を中心としてデジタルカメラ本体１側に回動させる。第１の収容部１４がデジタルカメラ本体１に形成されている第１の凹部８と係合するように配置する。さらに蓋１８の上部の第３の縁部１８ａに形成される第２のあご部２８と第２の端部１０ｂとを係合させ、蓋１８を用いてパッド２をデジタルカメラ本体１に固定させる。収用物２１は窓１３を介して見られることが可能である。【選択図】  図１２
2004208129.tif 000002
【特許請求の範囲】
【請求項１】
本体と、
前記本体に着脱可能に取り付けられるカバーと、
前記カバーの前記本体と対向して設けられる収用部と、
前記カバーに形成され、前記収用部に収用される収用物を露出させる窓と、
を具備することを特徴とする電子機器。
【請求項２】
前記本体は前記収用部と係合する凹部を具備することを特徴とする請求項１記載の電子機器。
【請求項３】
前記カバーと対向する前記本体の面の所定の縁部に第１のアゴ部、及び前記本体の面内で前記所定の縁部と対向する縁部に第２のアゴ部が形成され、前記第１のアゴ部と対向する前記カバーの縁部に第１の端部、及び前記第２のアゴ部と対向する前記カバーの縁部に第２の端部が形成され、前記第１のアゴ部と前記第１の端部及び前記第２のアゴ部と前記第２の端部とが、互いに係合することを特徴とする請求項１記載の電子機器。
【請求項４】
前記本体の所定の側面の一部を形成するとともに、前記本体と回動可能に接続される蓋の縁部に、前記第２のアゴ部が形成されることを特徴とする請求項３記載の電子機器。
【発明の詳細な説明】
【０００１】
【発明の属する技術分野】
本発明は、外観を変更させるためのカバーを具備する電子機器に関する。
【０００２】
【従来の技術】
近年、同一仕様及び同一形状の電子機器に対するバリエーションを拡張することを目的として、電子機器の意匠成立要素の変更が図られている。例えば、当該電子機器において意匠の成立要素である模様又は色彩を変化させるといった具合である。
【０００３】
【発明が解決しようとする課題】
しかし、販売時に電子機器の意匠の成立要素（形状、模様又は色彩）が予め決定され、当該電子機器に対する意匠変更の余地が無い以上、所有者は電子機器に対してオリジナリティを見出し難い。
【０００４】
そこで本発明は上記問題を鑑みてなされたもので、所有者の嗜好に対応したデザインを付加可能な電子機器を提供することを目的とする。
【０００５】
【課題を解決するための手段】
上記目的を達成するために、請求項１に係る発明では、本体と、本体と着脱可能に取り付けられるカバーと、カバーの本体と対向する面上に配置される収用部と、カバーに形成され、収用部に収用される収用物を露出させる窓とを具備することを特徴とする。
【０００６】
このような構成により、所有者は電子機器にオリジナリティを付加することが可能である。
【０００７】
【発明の実施の形態】
以下本発明をデジタルカメラ等の電子機器に適応して実施した場合を、図面を参照して説明する。
【０００８】
図１はパッドとデジタルカメラ本体とを示す斜視図である。
【０００９】
デジタルカメラ本体１は、略四角形状をなす前面３ａ、前面３ａに連なる上面１ａ、側面１ｂ，１ｃ及び底面１ｄを有する。上面１ａと底面１ｄとは、本体１の短軸方向に互いに対向して配置され、側面１ｂと側面１ｃとは、本体１の長軸方向に互いに対向して配置される。
【００１０】
底面１ｄの一端に後述する蓋１８が配置される。また、上面１ａの一端に撮像開始をするためのシャッタボタン７が配置される。
【００１１】
本体１の前面１は上部３１ａ及び下部３２ａを有する。上部３１ａに撮影環境に応じて設定されるストロボ６が配置される。さらに、上部３１ａにレンズ５が配置される。また、下部３２ａには後述する長方形状の第１の凹部８が形成される。
【００１２】
前面３ａと上面１ａにより形成される角部に第１の縁部４ａ、前面３ａと底面１ｄにより形成される角部に第２の縁部４ｂが形成される。
【００１３】
デジタルカメラ本体１の前面３に装着可能であるパッド２を設ける。
【００１４】
パッド２は、略四角形状をなす前面９ａを有する。前面９ａは上部９１ａ及び下部９２ａを有する。上部９１ａの縁部に第１の端部１０ａが前面９ａと一体形成される。さらに、下部９２ａの縁部に第２の端部１０ｂが前面９ａと一体形成される。
【００１５】
第１の端部１０ａ及び第２の端部１０ｂの形状は帯状である。帯状である第１の端部１０ａの長手方向の長さは、パッド２の前面９ａの長手方向の長さと略同一である。
【００１６】
上部９１ａに第１の開口部１１及び第２の開口部１２が形成される。第１の開口部１１の形状は略円形状である。開口部１１はデジタルカメラ本体１に配置されるレンズ５を露出させる。第２の開口部１２の形状は略長方形状である。開口部１２はデジタルカメラ本体１に配置されるストロボ６を露出させる。
【００１７】
下部９２ａに窓１３を配置する。窓１３の形状は略四角形状であり、材質は透明状の材質である。窓１３の大きさは第１の凹部８の大きさと略同様である。
【００１８】
図２は、デジタルカメラ本体の裏面を示す斜視図である。
【００１９】
本体１は略四角形状をなし、前面３ａと対向する裏面３ｂ、裏面３ｂに連なる上面１ａ、側面１ｂ，１ｃ及び底面１ｄを有する。
【００２０】
裏面３ｂの下部に操作メニュー等を表示する表示部２３が配置される。表示部２３の形状は略長方形状である。裏面３ｂの上部３１ｂに本体電源スイッチ２４が配置される。
【００２１】
図３は、パッドの裏面を示す斜視図である。
【００２２】
パッドの裏面９ｂ上の下部９２ｂの略中央に第１の収容部１４が配置される。第１の収容部１４の形状は扁平な箱形状である。第１の収容部１４は図１を用いて説明した窓１３を覆うように配置される。
【００２３】
第１の収容部１４は長方形状の上壁１４ａを有する。第１の収容部１４の上壁１４ａに収用物等を収容する際に使用される第３の開口部１５が形成される。第３の開口部１５の形状は略楕円状である。
【００２４】
図４は、パッドを図３におけるＸ−Ｘ´方向で切断した場合の断面図である。
【００２５】
第１の収容部１４はパッド２の裏面９ｂ上に配置される。第１の収容部１４の上壁１４ａに第３の開口部１５が形成される。
【００２６】
上壁１４ａと対向するパッド２の部分に窓１３が配置される。パッド２に上壁１４ａと略同形状の開口部を形成し、この開口部に窓１３を配置する。
【００２７】
尚、パッド２全体を透明状の材質で形成し、窓１３の部分以外の裏面９ｂをコーディングすることで、窓１３を形成してもよい。
【００２８】
図５は、第１の収容部に収用物を収容開始した状態を示す断面図である。
【００２９】
収用物２１は第１の収容部１４における収容口１４ｃ付近のパッド２の裏面９ｂ上に載置される。第３の開口部１５に指２２を挿入し、指２２で収用物２１を第１の収容部１４の奥部１４ｄ方向に移動（図中の矢印の方向）させる。
【００３０】
図６は、第１の収容部に収用物を収容終了した状態を示す断面図である。
【００３１】
第３の開口部１５に指２２を挿入し、収用物２１を指２２で奥部１４ｄへ移動させることで、第１の収容部１４へ収容物２１を収容する。すなわち、パッド２の前面９ａ側から窓１３を通して収用物２１全体が見える位置になるように、第１の収容部１４内に収用物２１を収容する。
【００３２】
図７は、パッドを図３におけるＹ−Ｙ´方向で切断した断面図である。
【００３３】
第１の収容部１４はパッド２の裏面９ｂ上に配置される。第１の収容部１４の上壁１４ａに第３の開口部１５が形成される。パッド２に、第１の収容部１４の上壁１４ａと対向するように窓１３が配置される。
【００３４】
パッド２の上部９１ｂの縁部に端部１０ａ、下部９２ｂの縁部に端部１０ｂが、それぞれパッド２と一体形成される。
【００３５】
図８は、パッドと蓋が開かれた状態のデジタルカメラ本体との位置関係を示す斜視図である。
【００３６】
下面１ｄの一端に第２の凹部２５を形成する。第２の凹部２５に第２の収容部１６及び第３の収容部１７が形成される。
【００３７】
第２の収容部１６にはデジタルカメラ本体に電力を供給する電池が収容される。収容部１６の収容口の形状は略楕円柱状である。また収容部１６の奥行きは、裏面３ｂと略並行に下面１ｄから上面１ａの方向へ延出するように形成されている。
【００３８】
第３の収容部１７には画像データ等のデジタルデータが記憶されるメモリカード等が挿入される。収容部１７の形状はカード状である。また収容部１７の奥行きも第２の収容部の奥行きと同様に裏面３ｂと略並行に下面１ｄから上面１ａの方向へ延出するように形成されている。
【００３９】
第２の凹部２５の側面のうち、下面１ｄと連なる面に切り口面２６が配置される。蓋１８は切り口面２６とヒンジ１９を介して接続される。蓋１８はヒンジ１９を中心として回動可能である。
【００４０】
蓋１８の縁部に第３の縁部１８ａが形成される。さらに、蓋１８をヒンジ１９を中心としてデジタルカメラ本体１側に回動後、第２の収容部１６の収容口が形成される面と対向するような面１８ｂが形成される。面１８ｂ上に電池と接触する端子２０を配置する。
【００４１】
図９は、蓋が開かれた状態のデジタルカメラ本体にパッドを取り付けた時の斜視図である。
【００４２】
第２の端部１０ｂの長さは第２の凹部２５に係合可能な長さで形成される。
すなわち、第２の端部１０ｂの長さは、第２の端部１０ｂの一端と切り口面２６とが接触する程度の長さで形成される。
【００４３】
図１０は、デジタルカメラ本体にパッドを取り付けた後、蓋を閉めた状態を示す斜視図である。
【００４４】
蓋１８をヒンジ部１９を中心として、デジタルカメラ本体１側に向かって回動させる。その後、第３の縁部１８ａと第２の端部１２ｂを係合させた状態で、蓋１８を側面１ｂ側から側面１ｃ側へスライドさせて、蓋１８を閉じた状態にする。
【００４５】
図１１は、デジタルカメラ本体にパッドを取り付ける時を示す断面図である。
【００４６】
デジタルカメラ本体１の第１の縁部４ａに第１のあご部２７が形成される。この第１のあご部２７にパッド２の第１の端部１０ａが係合される。さらに、第１の端部１０ａを中心としてパッド２をデジタルカメラ本体１側に回動させる。つまり、第２の端部１０ｂが第２の縁部４ｂ側に移動するようにパッド２を回動させる。
【００４７】
図１２は、デジタルカメラ本体にパッドを装着後の状態を示す断面図である。
【００４８】
パッド２の裏面９ｂに配置される第１の収容部１４がデジタルカメラ本体１に形成されている第１の凹部８と係合するように、パッド２をデジタルカメラ本体１上に載置する。第１の収容部１４の形状は、第１の凹部８の形状よりも若干、小さい寸法である。また、第１の収容部１４のガイド壁１４ｂは、第１の凹部８と係合する程度の厚さである。
【００４９】
さらに、蓋１８の上部の第３の縁部１８ａに形成される第２のあご部２８と第２の端部１０ｂとを係合させ、パッド２をデジタルカメラ本体１に固定させる。
【００５０】
図１３は、収容物を収容したパッドをデジタルカメラ本体に装着した状態を示す斜視図である。
【００５１】
図に示すように収用物２１は窓１３を介して見られることが可能である。
【００５２】
本発明ではその主旨を逸脱しない範囲であれば、上記の実施形態に限定されるものではない。そして、携帯電話、ポータブルコンピュータ、及びＰＤＡ等に広く適用できるものである。
【００５３】
【発明の効果】
以上詳述した発明によれば、所有者は電子機器にオリジナリティを付加することが可能である。
【図面の簡単な説明】
【図１】パッドとデジタルカメラ本体との位置関係を示す斜視図。
【図２】デジタルカメラ本体の裏面を示す斜視図。
【図３】パッドの裏面を示す斜視図。
【図４】パッドをＸ−Ｘ´方向で切断した断面図。
【図５】第１の収容部に収容物を収容開始した状態を示す断面図。
【図６】第１の収容部に収容物を収容終了した状態を示す断面図。
【図７】パッドをＹ−Ｙ´方向で切断した断面図。
【図８】パッドと蓋が開かれた状態のデジタルカメラ本体との位置関係を概略的に示す斜視図。
【図９】蓋が開かれた状態のデジタルカメラ本体にパッドを取り付けた時の斜視図。
【図１０】デジタルカメラ本体にパッドを取り付けた後、蓋を閉めた状態を示す斜視図。
【図１１】デジタルカメラ本体にパッドを取り付ける時を示す断面図。
【図１２】デジタルカメラ本体にパッドを装着後の状態を示す断面図。
【図１３】デジタルカメラ本体に収容物を収容したパッドを装着した状態を示す斜視図。
【符号の説明】
１…デジタルカメラ本体、２…パッド、
１ａ…上面、１ｂ…側面、１ｃ…側面、１ｄ…下面、
３ａ，９ａ…前面、３ｂ，９ｂ…裏面、
４ａ…第１の縁部、４ｂ…第２の縁部、
５…レンズ、６…ストロボ、７…シャッタボタン、８…第１の凹部、
１０ａ…第１の端部、１０ｂ…第２の端部、１１…第１の開口部、
１２…第２の開口部、１３…窓、１４…第１の収容部、１４ａ…上壁、
１４ｂ…ガイド壁、１４ｃ…収容口、１４ｄ…奥部、１５…第３の開口部、
１６…第２の収容部、１７…第３の収容部、１８…蓋、１８ａ…第３の縁部、１８ｂ…面、１９…ヒンジ、２０…端子、２１…収用物、２２…指、
２３…表示部、２４…本体電源スイッチ、２５…第２の凹部、
２６…切り口面、２７…第１のあご部、２８…第２のあご部、
３１ａ，３１ｂ，９１ａ…上部、３２ａ，９２ａ，９２ｂ…下部、
【図１】
2004208129.tif 000003
【図２】
2004208129.tif 000004
【図３】
2004208129.tif 000005
【図４】
2004208129.tif 000006
【図５】
2004208129.tif 000007
【図６】
2004208129.tif 000008
【図７】
2004208129.tif 000009
【図８】
2004208129.tif 000010
【図９】
2004208129.tif 000011
【図１０】
2004208129.tif 000012
【図１１】
2004208129.tif 000013
【図１２】
2004208129.tif 000014
【図１３】
2004208129.tif 000015